Podtech/llm-jp-corpus-v4-ja_patent huggingface dataset:
【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
コンピューター実行命令が具体化された１つ以上のコンピューター記憶媒体であって、前記コンピューター実行可能命令が実行されると、ユーザーに対してカスタム化された１つ以上の背景画像を提示する方法を計算デバイスに実行させ、前記方法が、
ユーザーと関連のある１つ以上のユーザー・データーを参照するステップであって、前記１つ以上のユーザー・データーがウェブ・ブラウザーを介してサーチ・エンジンに以前に与えられた１つ以上の問い合わせを含む、ステップと、
初期サーチ・エンジン・ページの背景として表示する画像を選択するために、前記以前に与えられた１つ以上の問い合わせを利用するステップであって、前記初期サーチ・エンジン・ページが、前記ユーザーがサーチ問い合わせ入力を提出する前に提示されたものである、ステップと、
前記初期サーチ・エンジン・ページの背景画像として表示するために前記背景画像を提供するステップと、
前記背景画像にオーバーレイする複数のアイコン画像の中からのアイコン画像の選択を受けるステップであって、各アイコン画像がサーチ結果の対応するカテゴリーを表す、ステップと、
選択された前記アイコン画像に応答して、選択された前記アイコン画像が表すサーチ結果の前記カテゴリーに対応するように前記背景画像を変更するステップと、
を含む、１つ以上のコンピューター記憶媒体。
【請求項２】
請求項１記載の媒体において、前記１つ以上のユーザー・データーが、前記ユーザーのイベント、活動、または行動と関連した少なくとも１つのユーザー・プロファイル・データーを含む、媒体。
【請求項３】
請求項２記載の媒体において、前記少なくとも１つのユーザー・プロファイル・データーが、前記ユーザーの習慣的サーチ行動、前記ユーザーによって以前に与えられたサーチまたは問い合わせ、前記ユーザーが関与したテキストまたは電子メール会話、ユーザーが関与したマルチメディア・イベント、あるいはその組み合わせを含む、媒体。
【請求項４】
請求項１記載の媒体において、前記１つ以上のユーザー・データーが、前記ユーザーによって使用されている計算デバイスと関連した少なくとも１つのデバイス・データーを含む、媒体。
【請求項５】
請求項４記載の媒体において、前記少なくとも１つのデバイス・データーが、前記計算デバイスがタッチ対応であるか否かの指示、前記デバイスの画面サイズの指示、デバイス識別子、データーを送るために利用可能な帯域幅の指示、またはその組み合わせを含む、媒体。
【請求項６】
請求項１記載の媒体において、前記１つ以上のユーザー・データーが、前記ユーザーに関係する他のユーザーと関連した少なくとも１つの関係データーを含む、媒体。
【請求項７】
ユーザーに対してカスタム化されたアイコン画像を提示する方法であって、
ユーザーによって入力されたサーチ問い合わせを参照するステップと、
前記ユーザーと関連のある１つ以上のユーザー・データーを参照するステップと、
前記ユーザーによる前記サーチ問い合わせ入力に対応するサーチ結果の１つ以上のカテゴリーを特定するステップと、
サーチ結果の各カテゴリーに関して、サーチ結果の前記対応するカテゴリーを表すため表示するアイコン画像を特定するステップであって、サーチ結果の前記対応するカテゴリーを表すために使用する前記アイコン画像が、前記サーチ問い合わせおよび前記ユーザーと関連のある前記１つ以上のユーザー・データーに基づいて、複数のアイコン画像の中から選択される、ステップと、
サーチ結果ウェブページ内における表示のため特定された前記アイコン画像の各々を与えるステップであって、前記サーチ結果ページ内におけるアイコン画像の選択によって、前記選択されたアイコン画像によって表されるサーチ結果の前記カテゴリーに対応する１つ以上のサーチ結果の表示、またはそれに関連のある情報の表示が行われる、ステップと、
を含む、方法。
【請求項８】
請求項７記載の方法であって、更に、前記サーチ問い合わせに関するサーチ結果を、前記しかるべき１つ以上のアイコン画像と関連付けるステップを含む、方法。
【請求項９】
請求項８記載の方法であって、更に、前記１つ以上のアイコン画像を互いに対して表示する配列を決定するステップを含む、方法。
【請求項１０】
請求項９記載の方法において、前記配列が、前記ユーザー・データー、または前記１つ以上のアイコン画像の各々に関するサーチ結果の量に基づく、方法。
【請求項１１】
請求項７記載の方法において、前記１つ以上のユーザー・データーが、１つ以上のユーザー・プロファイル・データー、１つ以上のデバイス・データー、１つ以上の関係データー、１つ以上のグローバル・データー、またはその組み合わせを含む、方法。
【請求項１２】
ユーザーに対してサーチ体験をカスタム化するシステムであって、
１つ以上のプロセッサーおよび１つ以上のコンピューター読み取り可能記憶媒体が関連した計算デバイスと、
前記計算デバイスと結合されたデーター・ストアと、
画像選択エンジンであって、
（１）ユーザーによって入力されたサーチ問い合わせと、前記ユーザーの少なくとも１つの興味を示すユーザー・プロファイル・データーと、前記ユーザーによって使用されている前記計算デバイスと関連のあるデバイス・データーとを受け入れ、
（２）サーチ結果ウェブページの背景として表示される背景画像を特定し、前記サーチ結果ウェブページ上に表示される１つ以上のアイコン画像を特定するために、前記サーチ問い合わせ、前記ユーザー・プロファイル・データー、および前記デバイス・データーを使用し、前記１つ以上のアイコン画像がサーチ結果のカテゴリーを表し、前記サーチ問い合わせが、該サーチ問い合わせに関係した複数の可能な背景画像を特定するために使用され、前記ユーザー・プロファイル・データーが、特定された前記複数の可能な背景画像から表示されるべき前記背景画像を選択するために使用され、
（３）前記背景画像および前記１つ以上のアイコン画像を提示のために出力する、
画像選択エンジンと、
を含む、システム。
【請求項１３】
請求項１２記載のシステムにおいて、前記画像選択エンジンが、前記ユーザー・プロファイル・データーに基づいて前記１つ以上のアイコン画像を配置する配列または位置を決定する、システム。
【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
受け取った画像及びしきい画像から第１画像及び第２画像を生成する方法であって、
前記受け取った画像及び前記しきい画像のそれぞれの画素値に基づいて上境界画像及び下境界画像を決定することと、
前記上境界画像、前記下境界画像、前記受け取った画像、及び前記しきい画像と組み合わせて平滑化フィルタリングプロセスを使用することにより前記第１画像及び前記第２画像を生成することであって、前記第１画像は、前記平滑化フィルタリングプロセスに基づいて前記第２画像とは異なる空間周波数成分を有することと、
前記第１画像を第１プロジェクタにより表面上に投影することと、
前記第２画像を第２プロジェクタにより前記表面上に投影することと
を含み、
前記第１画像及び前記第２画像は、前記第１プロジェクタ及び前記第２プロジェクタの照度限度内にある画素値を有する方法。
【請求項２】
前記下境界画像は、前記第１プロジェクタ又は前記第２プロジェクタの照度限界を超える画素値を表す、請求項１に記載の方法。
【請求項３】
前記上境界画像は、前記第１プロジェクタ又は前記第２プロジェクタによる前記表面への寄与が可能な最大画素値を表す、請求項１に記載の方法。
【請求項４】
前記下境界画像を決定することは、
前記受け取った画像と前記しきい画像との間の各対応画素に対して最大画素値を決定することと、
各画素に対する前記最大画素値から対応しきい値を減算することにより差値を決定することと
を含み、
前記上境界画像を決定することは、前記受け取った画像と逆しきい画像との間の各対応画素に対して前記最小画素値を決定することを含む、請求項１に記載の方法。
【請求項５】
前記第１プロジェクト及び前記第２プロジェクタが前記表面に寄与する各画素に対する前記しきい画像における照度の一部分の代表を制御することにより、前記第１プロジェクタと前記第２プロジェクタとの間の照明バランスをとることをさらに含む、請求項１に記載の方法。
【請求項６】
前記平滑化フィルタリングプロセスは、
前記上境界画像及び前記下境界画像を受け取ることと、
前記下境界画像の各画素へのぼかし操作の前に膨張操作を行うことと
を含む、請求項１に記載の方法。
【請求項７】
前記平滑化フィルタプロセスは、各画素に対し、フィルタリングされた下境界画像及び前記上境界画像の対応画素の最小値を決定することをさらに含む、請求項６に記載の方法。
【請求項８】
前記受け取った画像をガンマ復号化することをさらに含む、請求項１に記載の方法。
【請求項９】
前記第１画像を投影する前に前記第１画像をガンマ符号化することと、
前記第２画像を投影する前に前記第２画像を符号化することと
をさらに含む、請求項１に記載の方法。
【請求項１０】
前記第１画像の投影及び前記第２画像の投影前に前記第１画像又は前記第２画像の少なくとも一つをワーピングすることをさらに含む、請求項１に記載の方法。
【請求項１１】
前記第１画像及び前記第２画像の強度をバランスさせることをさらに含み、
前記平滑化フィルタリングプロセスは拘束付き平滑化フィルタリングプロセスを含む、請求項１に記載の方法。
【請求項１２】
前記第２画像を前記第２プロジェクタにより前記表面上に投影することは、前記第２画像を、前記第１プロジェクタにより投影される前記第１画像と重ね合わせかつ幾何学的に整合することを含む、請求項１に記載の方法。
【請求項１３】
前記第１画像を生成することは、
前記受け取った画像と、前記平滑化フィルタリングプロセスから出力された画像との間の対応画素の差異を決定することと、
各画素に対して前記しきい画像の対応画素により除算することと
を含む、請求項１に記載の方法。
【請求項１４】
前記第２画像を生成することは、前記平滑化フィルタリングプロセスの出力を、各画素に対する逆しきい画像の対応画素により除算することを含む、請求項１３に記載の方法。
【請求項１５】
画像投影システムであって、
画像処理回路と、
第１プロジェクタと、
第２プロジェクタと、
スクリーンと
を含み、
前記画像処理回路は、
拘束付き平滑フィルタリングプロセスを使用して入力画像から、前記拘束付き平滑化フィルタリングプロセスに基づいて異なる第１画像及び第２画像を生成し、
前記第１画像及び前記第２画像の強度をバランスさせ、並びに
前記第２画像をワーピングすることによりワープ画像を生成する
べく構成され、
前記第１プロジェクタは前記第１画像を投影し、
前記第２プロジェクタは前記ワープ画像を投影し、
前記第１プロジェクタにより投影される前記第１画像は、前記スクリーン上において、前記第２プロジェクタにより投影される前記ワープ画像と重ね合わせられかつ幾何学的に整合されるように構成される画像投影システム。
【請求項１６】
前記画像処理回路は、
前記入力画像及びしきい画像のそれぞれの画素値に基づいて上境界画像及び下境界画像を決定し、
前記上境界画像及び前記下境界画像と組み合わせて前記拘束付き平滑化フィルタリングプロセスを使用することにより前記第１画像及び前記第２画像を生成し、並びに
前記第１画像及び前記ワープ画像を前記第１プロジェクタ及び前記第２プロジェクタの照度限度内にある画素値を有するようにする
べく構成される、請求項１５に記載の画像投影システム。
【請求項１７】
第１画像を投影する第１プロジェクタと、
前記第１画像とは異なる空間周波数成分を有する第２画像を投影し、投影面上において前記第１画像とオーバレイさせる第２プロジェクタと、
受け取った画像から、前記受け取った画像及びしきい画像のそれぞれの画素値に基づいて決定される上境界画像及び下境界画像と組み合わせた少なくとも一つの平滑化フィルタを使用して、前記第１画像及び前記第２画像を生成するべく構成される画像処理回路と
を含む画像投影システム。
【請求項１８】
前記画像処理回路は、
前記第１プロジェクタ及び前記第２プロジェクタの照度限度内にある画素値を有する前記第１画像及び前記第２画像を生成し、並びに
前記少なくとも一つの平滑化フィルタに基づいて前記第１画像とは異なる空間周波数成分を有する前記第２画像を生成する
べく構成される、請求項１７に記載の画像投影システム。
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
異常を検出するべくＯＣＴ画像を分析する方法であって、
上側反射層および下側反射層を少なくとも含み、さらに複数の点を含むＯＣＴ画像を取得して、デジタルメモリに前記ＯＣＴ画像を格納する段階と、
点分析対象領域として、前記ＯＣＴ画像のうち前記上側反射層の少なくとも一部を分離する段階と、
それぞれ異なる色に対応する複数の異なるピクセル値範囲を決定する離散化処理を実行する段階と、
一の決定したピクセル値範囲に基づいて、前記ＯＣＴ画像の前記上側反射層の複数の点に一の色を割り当てる段階と、
一の色が割り当てられた前記複数の点を計数する段階と
を備える方法。
【請求項２】
前記上側反射層の少なくとも一部を分離する段階は、
前記ＯＣＴ画像をグレースケール画像に変換する段階と、
前記グレースケール画像を二値化する段階と、
前記グレースケール画像において中点を定義する段階と、
前記中点より上方の領域を分離する段階と
を有する請求項1に記載の方法。
【請求項３】
前記上側反射層の少なくとも一部を分離する段階は、
前記ＯＣＴ画像に対してブロブ抽出処理を実行して一群のブロブを生成する段階と、
前記一群のブロブから最大ブロブを選択する段階と、
前記最大ブロブの領域をマッピングする段階と、
前記最大ブロブの前記領域のマッピングに基づいて、前記上側反射層の領域において点分析を実行する段階と
を有する請求項1に記載の方法。
【請求項４】
前記離散化処理を実行する段階は、
４つの異なるピクセル値範囲を決定する段階を備え、
前記４つの異なるピクセル値範囲のそれぞれは、異なる色に対応する請求項１から３のいずれか一項に記載の方法。
【請求項５】
前記４つの異なる色は、赤色、黄色、緑色および青色である請求項４に記載の方法。
【請求項６】
前記複数の点を計数して、前記４つの異なる色の各色の点の絶対数を得る段階をさらに備える請求項５に記載の方法。
【請求項７】
通常のＯＣＴ画像について決定された点の絶対数に対して、前記４つの異なる色の各色の点の絶対数を比較する段階をさらに備え
前記通常のＯＣＴ画像について決定された点の絶対数は、データベースに格納されている請求項６に記載の方法。
【請求項８】
前記比較する段階に基づき、異常の可能性を含む結果を生成する段階をさらに備える請求項７に記載の方法。
【請求項９】
前記赤色の点および前記黄色の点を第１のグループとし、前記緑色の点および前記青色の点を第２のグループとするグループ分けを行う段階と、
前記第１のグループの前記赤色の点および前記黄色の点の数を計数し、前記第２のグループの前記緑色の点および前記青色の点の数を計数する段階と、
前記第２のグループに含まれる点に対する前記第１のグループに含まれる点の比率を求める段階と
をさらに備える請求項５から８のいずれか一項に記載の方法。
【請求項１０】
前記第２のグループに含まれる点に対する前記第１のグループに含まれる点の前記比率に基づき、指標を生成する段階をさらに備える請求項９に記載の方法。
【請求項１１】
前記上側反射層は複数のセクタに分割され、前記４つの異なる色の各色の点の絶対数を比較する段階は、セクタ毎に実行される請求項７または８に記載の方法。
【請求項１２】
前記比較する段階は、前記複数のセクタのうち第１のセクタに含まれる点の数を、前記複数のセクタのうち第２のセクタに含まれる点の数と比較する段階を含む請求項１１に記載の方法。
【請求項１３】
前記上側反射層は複数のセクタに分割され、前記比率を求める段階は、前記複数のセクタに対して実行される請求項９または１０に記載の方法。
【請求項１４】
異常を検出するべく視神経を分析する方法であって、
上側反射層および下側反射層を少なくとも含み、複数の点をさらに含む、視神経のＯＣＴ画像を取得して、前記ＯＣＴ画像をデジタルメモリに格納する段階と、
前記視神経の前記ＯＣＴ画像を複数のスライスに分割する段階と、
それぞれ異なる色に対応する複数の異なるピクセル値範囲を決定する離散化処理を実行する段階と、
一の決定されたピクセル値範囲に基づき、前記ＯＣＴ画像の前記上側反射層に含まれる複数の点に一の色を割り当てる段階と、
一の色が割り当てられた前記複数の点を計数する段階と
を備える方法。
【請求項１５】
前記離散化処理を実行する段階は、４つの異なるピクセル値範囲を決定する段階を備え、前記４つの異なるピクセル値範囲は、４つの異なる色に対応する
請求項１４に記載の方法。
【請求項１６】
前記４つの異なる色は、赤色、黄色、緑色および青色である請求項１５に記載の方法。
【請求項１７】
前記赤色の点および前記黄色の点を第１のグループとし、前記緑色の点および前記青色の点を第２のグループとするグループ分けを行う段階と、
前記第１のグループの前記赤色の点および前記黄色の点の数を計数し、前記第２のグループの前記緑色の点および前記青色の点の数を計数する段階と、
前記第２のグループに含まれる点に対する前記第１のグループに含まれる点の比率を決定する段階と
をさらに備える請求項１６に記載の方法。
【請求項１８】
ＯＣＴ画像を分析する方法であって、
複数の点を含むＯＣＴ画像を取得する段階と、
前記ＯＣＴ画像の上側反射層の一部を分離する段階と、
離散化処理を実行する段階と、
前記ＯＣＴ画像において複数の点を検出する段階と、
前記ＯＣＴ画像において検出された前記複数の点を分類する段階と、
前記ＯＣＴ画像で分類された前記複数の点を計数する段階とを備える方法。
【手続補正２】
【補正対象書類名】明細書
【補正対象項目名】発明の名称
【補正方法】変更
【補正の内容】
【発明の名称】ＯＣＴ画像を分析する方法および視神経を分析する方法
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
少なくとも１００Ｌ／ｍ２．ｈ．ｐｓｉ（１４．５Ｌ／ｍ２．ｈ．ｋＰａ）の水量流動率で、少なくとも１つの生物有機体を含む試料をフィルタ膜に通過させる工程であって、前記フィルタ膜は、１．０μｍを超えないバブルポイント孔径を備え、それによって、前記膜の表面上に少なくとも１つの生物有機体を保持する、工程と、
前記フィルタ膜の表面上に保持される、前記少なくとも１つの生物有機体を検出する工程と、を含む、方法。
【請求項２】
前記少なくとも１つの生物有機体が、前記フィルタ膜の表面上の原位置で検出される、請求項１に記載の方法。
【請求項３】
前記フィルタ膜の表面上に保持される前記少なくとも１つの生物有機体を検出する工程が、検出アッセイを実施する前に、前記保持された生物有機体を前記膜の表面から溶出する工程を含む、請求項１に記載の方法。
【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
以下の（a）又は（b）又は（c）の工程を含む、対象者が1つ以上のCVD合併症（例えば急性心筋梗塞（AMI）及び／又はCVD死）の発症リスクを有するか否かを決定する方法：
（a）前記対象者由来のサンプルで1つ以上の脂質の濃度を決定する工程であって、コントロールサンプルと比較したとき前記サンプルにおける濃度の増加又は低下が、前記対象者が1つ以上のCVD合併症（例えばAMI又はCVD死）を発症するリスクの増加を有することの指標であり、その濃度の増加がコントロールと比較される1つ以上の脂質が、Cer(d18:1/20:0)、LacCer(d18:1/20:0)、Cer(d18:1/24:1)、LacCer(d18:1/24:1)、PS O-18:2/16:0-アルケニル、PS O-16:1/18:2-アルキル、総Cer、総LacCer、GlcCer(d18:1/24:1)、LacCer(d18:1/22:0)及びCer(d18:1/18:0)から選択され、その濃度の低下がコントロールと比較される1つ以上の脂質が、総PC, PC 16:0/20:4、Cer(d18:0/24:0)、総LPC、CE 14:0、CE 20:3、CE 17:1、PC 16:0/20:3、LPC 18:1、PC 18:0/20:3、PC 18:0/18:1及びCer(d18:0/22:0)から選択される、前記工程、又は
（b）前記対象者由来のサンプルで1つ以上の脂質-脂質比を決定する工程であって、コントロールサンプルと比較したとき前記サンプルにおける脂質-脂質比の増加又は低下が、前記対象者が1つ以上のCVD合併症（例えばAMI又はCVD死）を発症するリスクの増加を有することの指標であり、その増加がコントロールと比較される1つ以上の脂質-脂質比が、GlcCer(d18:1/26:1)/総CE、Cer(d18:1/24:1)/総PC、Cer(d18:1/24:1)/PC 16:0/20:4、Cer(d18:1/20:0)/PC 16:0/20:4、LacCer(d18:1/20:0)/PC 16:0/20:3、総Cer/総PC、総LacCer/総PC、LacCer(d18:1/20:0)/PC 18:1/18:2、PS O-16:0/18:2-アルケニル/総PS O、Cer(d18:1/18:0)/PC 16:0/20:4、LacCer(d18:1/20:0)/総LPC及びLacCer(d18:1/20:0)/PC 16:0/20:4から選択され、その低下がコントロールと比較される1つ以上の脂質-脂質比が、Cer(d18:0/24:0)/Cer(d18:1/24:1)、Cer(d18:0/22:0)/Cer(d18:1/24:1)、DAG 16:0/18:1/総DAG、Cer(d18:0/24:0)/Cer(d18:1/22:0)、Cer(d18:0/24:0)/総CE、Cer(d18:0/24:0)/Cer(d18:1/24:1)、Cer(d18:0/24:0)/総Cer、Cer(d18:0/24:0)/Cer(d18:1/18:0)、Cer(d18:0/24:0)/PS O-16:0/18:2-アルケニル、Cer(d18:0/24:0)/LacCer(d18:1/24:0)、Cer(d18:0/22:0)/Cer(d18:1/18:0)、Cer(d18:0/24:0)/Cer(d18:1/22:0)、Cer(d18:0/22:0)/Cer(d18:1/20:0)、Cer(d18:0/22:0)/PS O-16:0/18:2-アルケニル、Cer(d18:0/22:0)/PS O-16:1/18:2-アルキル、GlcCer(d18:1/26:0)/LacCer(d18:1/20:0)、総LPC/総LacCer及びGlcCer(d18:1/26:0)/LacCer(d18:1/22:0)
から選択される、前記工程、又は
（c）前記対象者由来のサンプルで1つ以上の脂質-臨床濃度比を決定する工程であって、コントロールサンプルと比較したとき前記サンプルにおける脂質-臨床濃度比の増加又は低下が、前記対象者が1つ以上のCVD合併症（例えばAMI又はCVD死）を発症するリスクの増加を有することの指標であり、その増加がコントロールと比較される1つ以上の脂質-臨床濃度比が、Cer(d18:1/20:0)/アポリポタンパク質A-I (mg/dL)、Cer(d18:1/24:1)/アポリポタンパク質A-I (mg/dL)、LacCer(d18:1/20:0)/アポリポタンパク質A-I (mg/dL)、総Cer/アポリポタンパク質A-I (mg/dL)、総LacCer/アポリポタンパク質A-I (mg/dL)、Cer(d18:1/18:0)/アポリポタンパク質A-I (mg/dL)、LacCer(d18:1/22:0)/アポリポタンパク質A-I (mg/dL)、LacCer(d18:1/20:0)/HDLコレステロール (EDTA)(mg/dL)及びCer(d18:1/24:1)/アポリポタンパク質B(mg/dL)から選択され、その低下がコントロールと比較される1つ以上の脂質-臨床濃度比が、Cer(d18:0/24:0)/アポリポタンパク質B (mg/dL)、Cer(d18:0/24:0)/総コレステロール(EDTA) (mg/dL)、Cer(d18:0/24:0)/アポリポタンパク質B (mg/dL)、PC 16:0/20:4/アポリポタンパク質B (mg/dL)及びCer(d18:0/24:0)/アポリポタンパク質A-I(mg/dL)から選択される、前記工程。
【手続補正書】
【提出日】平成26年4月16日(2014.4.16)
【手続補正１】
【補正対象書類名】特許請求の範囲
【補正対象項目名】全文
【補正方法】変更
【補正の内容】
【特許請求の範囲】
【請求項１】
ラベル付けされた生体試料（２０）を照明する（２００）ステップと、
時系列画像のメンバーを生成する（２０５、２１０）ステップと、
前記時系列画像の後期メンバーと
前記時系列画像の初期のメンバーとの間の複数の差分画像を生成する（２１５）ステップと、
最終画像を生成するために前記複数の差分画像を結合する（２２５）ステップと、
を含むラベル付けされた生体試料（２０）の画像化の方法。
【請求項２】
フィルタを前記差分画像に適用する（２２０）ステップを更に含む請求項１に記載の方法。
【請求項３】
前記フィルタは、高域フィルタと、トップハット・フィルタと、メキシカンハット・フィルタとのうちの１つである、請求項２に記載の方法。
【請求項４】
前記照明は、レーザ照射によって提供される、請求項１ないし３のいずれか１項に記載の方法。
【請求項５】
前記ラベル付けされた生体試料（２０）は、フルオロフォアでラベル付けされている、請求項１ないし４のいずれか１項に記載の方法。
【請求項６】
前記時系列画像のメンバーの１つを生成するために、ラベル付けされた生体試料（２０）をスキャンするステップを更に含む請求項１ないし４のいずれか１項に記載の方法。
【請求項７】
前記複数の差分画像の前記生成するステップ（２１５）は、前記時系列画像の後のメンバーから前記時系列画像の前記初期のメンバーのピクセル強度を引くステップを含む、請求項１ないし６のいずれか１項に記載の方法。
【請求項８】
前記複数の差分画像の前記生成するステップ（２１５）は、前記時系列画像のシーケンシャルなメンバーの間で前記差分画像を生成するステップを含む、請求項１ないし７のいずれか１項に記載の方法。
【請求項９】
合成三次元画像を生成するために、前記最終画像をラベル付けされた生体試料の三次元画像と結合する（２３０）ステップを更に含む請求項１ないし８のいずれか１項に記載の方法。
【請求項１０】
ラベル付けされた生体試料（２０）の一部を照明するための照明源（６０）と、
ラベル付けされた生体試料（２０）から放射線を検出するための検出デバイス（８０）と、
前記検出デバイス（８０）によって生成される時系列画像のメンバーを保存するための画像メモリ（１１０）と、
時系列画像の後のメンバーと時系列画像の前のメンバーの間で、複数の差分画像を生成し、ラベル付けされた生体試料（２０）の最終像を生成するために、複数の差分画像を結合するのに適応した画像プロセッサ（１０５）と、
を備える、ラベル付けされた生体試料（２０）の画像化のための装置。
【請求項１１】
前記照明源（６０）は、走査型レーザである、請求項１０に記載の装置。
【請求項１２】
前記検出デバイス（８０）は、電荷結合素子である、請求項１０又は請求項１１に記載の装置。
【請求項１３】
前記ラベル付けされた生体試料（２０）からの放射線は、蛍光放射線である、請求項１０ないし１２のいずれか１項に記載の装置。
【請求項１４】
前記画像プロセッサ（１０５）は、前記差分画像にフィルタを適用するのに適応している、請求項１０ないし１３のいずれか１項に記載の装置。
【請求項１５】
前記最終像を表示するための表示装置（１２０）を更に備える請求項１０ないし１４のいずれか１項に記載の装置。
【請求項１６】
顕微鏡に、請求項１ないし９のいずれか１項に記載の方法による、ラベル付けされた生体試料（２０）の画像化のための方法を実行させるコンピュータ・プログラム。
【請求項１７】
前記ラベル付けされた生体試料（２０）は、腫瘍細胞である、請求項１ないし９のいずれか１項に記載の方法。
【請求項１８】
ラベル付けされた生体試料を形成するためにラベルで腫瘍細胞にラベル付けするステップと、
請求項１ないし９のいずれか１項に記載の方法にしたがって、ラベル付けされた生体試料を画像化するステップであって、それによって腫瘍細胞を識別する、ステップと、
を含む、腫瘍細胞の識別のための方法。
【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
ＩＰｓｅｃセッションを確立するようにコンピューティング装置を動作させる方法であって、
ワンタイム・パスワードを含む第１の通信を認証サービスに送信するステップと、
前記第１の通信に応答してワンタイム・パスワード・サービスから、前記ワンタイム・パスワードの正当性検証に成功したことを示すインジケーションを含む応答を受け取るステップと、
第２の通信を証明機関に送信するステップであって、前記第２の通信が、前記第１の通信に応答して前記ワンタイム・パスワード・サービスが、前記ワンタイム・パスワードの正当性検証に成功したことを示す前記インジケーションを含む、ステップと、
前記第２の通信に応答して前記証明機関から、前記ワンタイム・パスワードの正当性検証が成功したことを示す前記インジケーションを含む証明書を受け取るステップと、
前記証明機関が提供する前記証明書を用いて前記ＩＰｓｅｃセッションを確立するステップと
を含む方法。
【請求項２】
前記ＩＰｓｅｃセッションを確立するステップが、企業ネットワークへのリモート・アクセス向けのＩＰｓｅｃセッションを確立するステップを含む、請求項１に記載の方法。
【請求項３】
前記ワンタイム・パスワードの正当性検証が成功したことを示す前記インジケーションが、前記応答内のクッキーを含む、請求項１に記載の方法。
【請求項４】
前記第２の通信を送信するステップが、前記コンピューティング装置の秘密鍵で暗号化されたパラメータを送信することを含む、請求項１に記載の方法。
【請求項５】
前記第２の通信において前記コンピューティング装置の秘密鍵を用いて値を生成するステップをさらに含む、請求項１に記載の方法。
【請求項６】
前記第１の通信を送信するステップが、認証サービス宛ての前記第１の通信を送信するステップを含み、前記第２の通信を送信するステップが、前記認証サービス宛ての第２の通信を送信するステップを含む、請求項１に記載の方法。
【請求項７】
前記応答を受け取るステップが、ワンタイム・パスワード・サービスにより生成されたクッキーを含むメッセージを受け取るステップを含み、前記証明書を受け取るステップが、証明機関により生成された証明書を受け取るステップを含む、請求項６に記載の方法。
【請求項８】
前記第１の通信を送信するステップが、認証ゲートウェイ宛ての前記第１の通信を送信するステップを含み、前記第２の通信を送信するステップが、前記認証ゲートウェイ宛ての第２の通信を送信するステップを含む、請求項１に記載の方法。
【請求項９】
ネットワークに接続された少なくとも１つのプロセッサであって、
認証サービスと、
ワンタイム・パスワード・サービスと、
証明機関と、
を実装する少なくとも１つのプロセッサを含み、
前記認証サービスが、前記ネットワークを介して第１の通信をクライアントから受信するように構成され、前記第１の通信が前記クライアントに関連付けられた認証情報とワンタイム・パスワードを含み、
前記認証サービスが、前記クライアントに関連付けられた前記認証情報の正当性を検証し、前記ワンタイム・パスワードを前記ワンタイム・パスワード・サービスに伝えるように構成され、
前記ワンタイム・パスワード・サービスが、前記ワンタイム・パスワードの正当性を検証し、前記認証サービスに前記ワンタイム・パスワードの正当性検証の結果のインジケーションを返すように構成され、
前記証明機関が、前記クライアントからの前記ワンタイム・パスワードの正当性検証の結果の前記インジケーションを含む第２の通信を前記ネットワークを介して前記クライアントから受け取るように構成され、前記クライアントから受け取った前記結果が前記ワンタイム・パスワードの前記ワンタイム・パスワード・サービスによる正当性検証が成功したことを示す場合に選択的に証明書を発行するように構成され、前記証明書が前記ワンタイム・パスワードの正当性検証が成功したことのインジケーションを含む、
システム。
【請求項１０】
前記認証サービス、前記ワンタイム・パスワード・サービス、および前記証明機関が認証ゲートウェイを含む、請求項９に記載のシステム。
【請求項１１】
前記クライアントに関連付けられた前記認証情報が、前記クライアントのユーザの認証情報を含み、前記認証サービスが、前記ユーザの前記認証情報を認証するように構成された、請求項９に記載のシステム。
【請求項１２】
前記システムがさらに、アクセス制御ゲートウェイを含む企業ネットワークを含み、前記アクセス制御ゲートウェイが、前記企業ネットワークへのアクセスを、前記証明機関が発行した証明書を有するクライアント・コンピュータに許可するＩＰｓｅｃセッションを選択的に形成するよう構成された、請求項９に記載のシステム。
【請求項１３】
前記企業ネットワークが、ワンタイム・パスワード認証に基づいてリモート・アクセス制御をサポートしない、請求項１２に記載のシステム。
【請求項１４】
前記企業ネットワークがＩＫＥｖｌアクセス制御を使用する、請求項１３に記載のシステム。
【請求項１５】
前記証明機関が、前記クライアントの認証に基づいて公開鍵暗号化を実施するよう構成され、前記証明機関が、前記クライアントが前記公開鍵暗号化ベースの認証を用いて認証に成功し、かつ、前記ワンタイム・パスワードの正当性検証が成功したことを前記結果が示す場合に、選択的に前記証明書を発行する、請求項９に記載のシステム。
【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
ユーザの他覚的な生理パラメータを監視し、該監視した他覚的生理パラメータを示す信号を生成するように構成した少なくとも１つのセンサ、
携帯型電子装置、
ローカルベースステーション、及び
リモートデータストアから構成された、電子ヘルスジャーナルを制作するためのシステムであって、
前記携帯型電子装置は、
前記少なくとも１つのセンサが生成した監視された他覚的生理パラメータを示す信号を受信するレシーバ、  
前記ユーザの自覚的生理状態に関する情報を入力するための入力手段、
前記ユーザが入力したユーザの自覚的生理状態に関する情報及び、前記監視された他覚的生理パラメータを示す信号に日時情報を付与するように構成されたタイマ、
前記ユーザの自覚的生理状態に関する情報及び、前記監視された他覚的生理パラメータを示す信号をデータログとして格納するように構成された内部メモリ、及び、
トランスミッタ、から構成されており、
前記ローカルベースステーションは、前記携帯型電子装置が該ローカルベースステーションと通信に関して近接した位置に来ると、該携帯型電子装置から前記データログを自動的に受信するように構成され、該ローカルベースステーションは、前記データを前記リモートデータストアに送信するように構成されていることを特徴とするシステム。
【請求項２】
前記携帯型電子装置は、ユーザに対して、周期的に自覚的生理状態を入力するよう促すことを特徴とする、請求項１記載のシステム。
【請求項３】
前記携帯型電子装置には、前記ユーザの医療履歴及び、現在処方されている薬に関する情報から構成された患者プロフィールがロードされ、前記データログの一部として前記内部メモリに格納されている、ことを特徴とする、請求項１記載のシステム。
【請求項４】
前記ローカルベースステーションは、更新された患者プロフィールを前記リモートデータストアから自動的に受信し、該ローカルベースステーションは、該更新された患者プロフィールを前記携帯型電子装置に送信し、該携帯型電子装置は更新された患者プロフィールを受信し、前記データログ内のユーザの医療履歴及び現在処方されている薬を更新することを特徴とする、請求項３記載のシステム。
【請求項５】
前記ユーザは、薬消費情報を前記携帯型電子装置に入力し、該薬消費情報は、前記内部メモリ装置に前記データログの一部として格納されることを特徴とする、請求項３記載のシステム。
【請求項６】
前記ローカルベースステーションは、前記患者プロフィール内の現在処方されている薬及びユーザが入力した前記薬消費情報に基づいて、ヘルスケア提供者と処方薬の補充を調整することを特徴とする、請求項５記載のシステム。
【請求項７】
ユーザの他覚的生理パラメータを、少なくとも１つのセンサを用いて監視し、
ユーザの前記監視された他覚的生理パラメータを示す信号を、前記少なくとも１つのセンサで生成させ、
該監視された他覚的生理パラメータを示す信号を、携帯型電子装置により受信し、
ユーザの自覚的な生理状態に関する情報を、前記携帯型電子装置の入力手段を介して受けとり、
ユーザの自覚的生理状態に関する情報及び、前記監視された他覚的生理パラメータを示す信号に、前記携帯型電子装置のタイマにより、日付情報を付与し、
ユーザの前記自覚的な生理状態及び前記監視された他覚的な生理パラメータを示す信号に関する情報をデータログとして、前記携帯型電子装置の内部メモリ装置に格納し、
前記携帯型電子装置が、前記ローカルベースステーションと通信に関して近接すると、前記ローカルベースステーションが、前記データログを携帯型電子装置から自動的に受信し、
前記データログを該データベースステーションからリモートデータストアに送信することを特徴とする、電子ヘルスジャーナルの制作方法。
【請求項８】
センサ装置、携帯型電子装置、ローカルベースステーション及びリモートデータストアから構成された電子ヘルスジャーナルを制作するためのシステムにおいて、
前記センサ装置は、
ユーザの他覚的生理パラメータを監視し、該監視された他覚的生理パラメータを示す信号を生成するように構成された少なくとも１つのセンサ、
該監視された他覚的生理パラメータを示す信号に日時情報を付与するように構成されたタイマ、
該監視された他覚的な生理パラメータを示す信号を、第１のデータログとして格納するように構成された内部メモリ、及び
トランスミッタ、から構成され、
前記携帯型電子装置は、
ユーザの自覚的生理状態に関する情報を入力する入力手段、
ユーザが入力した該ユーザの自覚的生理状態に関する情報に日時情報を付与するように構成されたタイマ、
ユーザの自覚的生理状態に関する情報を、第２のデータログとして格納するように構成された内部メモリ、及び  
トランスミッタ、から構成され、
前記ローカルベースステーションは、前記第１及び第２データログを自動的に受信し、時間的に同期させるように構成されており、該ローカルベースステーションは、該第１及び第２データログの受信中に、前記センサ装置及び携帯型電子装置の両タイマのそれぞれから読んだ現在時刻を自動的に受信することにより該第１及び第２データログを時間的に同期させ、
前記ローカルベースステーションは更に、前記第１及び第２のデータログを前記リモートデータストアに送信するように構成されていることを特徴とする、システム。
【請求項９】
センサ装置の少なくとも１つのセンサで、ユーザの他覚的生理パラメータを監視し、
前記センサ装置で、該監視された他覚的生理パラメータを示す信号を生成させ、
該センサ装置のタイマで、該監視された他覚的生理パラメータを示す信号に日時情報を付与し、
該センサ装置の内部メモリに、前記監視された他覚的生理パラメータを示す信号を第１のデータログとして格納し、
前記ユーザの自覚的生理状態に関する情報を、携帯型電子装置の入力手段を介して受信し、
前記携帯型電子装置のタイマを用いて、ユーザの自覚的生理状態に関する情報に日時情報を付与し、
前記ユーザの自覚的生理状態に関する情報を、前記携帯型電子装置内に設けられた内部記憶装置に、第２データログとして格納し、
ローカルベースステーションは、センサ装置及び携帯型電子装置から前記第１及び第２データログを自動的に受信し、
前記ローカルベースステーションは、前記第１及び第２データログを時間的に同期させ、該ローカルベースステーションによる第１及び第２データログの時間同期は、前記第１及び第２データログを受信中に、センサ装置及び携帯型電子装置の両タイマのそれぞれから読んだ現在時刻を自動的に受信することにより行っており、
該第１及び第２データログを、ローカルベースステーションからリモートデータストアに送信することからなる、電子ヘルスジャーナルを制作する方法。
【手続補正書】
【提出日】平成26年3月5日(2014.3.5)
【手続補正１】
【補正対象書類名】特許請求の範囲
【補正対象項目名】全文
【補正方法】変更
【補正の内容】
【特許請求の範囲】
【請求項１】
データ処理システムによって実行される方法において、前記方法は、
複数の形状を有するＣＡＤモデルを受信するステップと、
前記形状の各々に対する自由度の数を決定するステップと、
前記形状の各々を位置決めするために用いられる複数の制約を決定するステップと、
前記制約によって取り除かれる自由度の総数を決定するステップと、
定義中の形状および定義済みの形状を識別するステップと、
前記定義中の形状のうち単数による定義中である形状をＵＤＳと識別するステップと、
ＵＤＳと識別された前記形状の各々のためのＵＤＳ指標を保存するステップと、
を含む方法。
【請求項２】
前記ＣＡＤモデルを受信するステップは、形状の少なくとも一つのセットを識別するステップを含み、
他のステップの各々は、形状の前記セットにて実行される、
請求項１に記載の方法。
【請求項３】
前記ＣＡＤモデルは、３次元である、
請求項１に記載の方法。
【請求項４】
定義中の形状は、定義中であるが、自由度に等しい制約の数を有するとき、ＵＤＳと識別される、
請求項１に記載の方法。
【請求項５】
単数から計算された（ＣＦＳ）指標を識別し、保存するステップをさらに含み、
前記指標は、ＵＤＳまたはＣＦＳと識別されるサポートとして少なくとも１つの形状を有する任意の形状に関連している、
請求項１に記載の方法。
【請求項６】
プロセッサと、アクセス可能メモリと、を具えるＣＡＤデータ処理システムであって、
前記ＣＡＤデータ処理システムは、
複数の形状を有するＣＡＤモデルを受信するステップと、
前記形状の各々に対する自由度の数を決定するステップと、
前記形状の各々を位置決めするために用いられる複数の制約を決定するステップと、
前記制約によって取り除かれる自由度の総数を決定するステップと、
定義中の形状および定義済みの形状を識別するステップと、
前記定義中の形状のうち単数による定義中である形状をＵＤＳと識別するステップと、
ＵＤＳと識別された前記形状の各々のためのＵＤＳ指標を保存するステップと、
を実行するように構成されているＣＡＤデータ処理システム。
【請求項７】
前記ＣＡＤモデルを受信するステップは、形状の少なくとも一つのセットを識別するステップを含み、
他のステップの各々は、形状の前記セットにて実行される、
請求項６に記載のＣＡＤデータ処理システム。
【請求項８】
前記ＣＡＤモデルは、３次元である、
請求項６に記載のＣＡＤデータ処理システム。
【請求項９】
定義中の形状は、定義中であるが、自由度に等しい制約の数を有するとき、ＵＤＳと識別される、
請求項６に記載のＣＡＤデータ処理システム。
【請求項１０】
前記ＣＡＤデータ処理システムは、単数から計算された（ＣＦＳ）指標を識別し、保存するステップを実行するようにさらに構成され、
前記指標は、ＵＤＳまたはＣＦＳと識別されるサポートとして少なくとも１つの形状を有する任意の形状に関連している、
請求項６に記載のＣＡＤデータ処理システム。
【請求項１１】
非一時的コンピュータ可読媒体であって、実行時に、ＣＡＤデータ処理システムに、
複数の形状を有するＣＡＤモデルを受信するステップと、
前記形状の各々に対する自由度の数を決定するステップと、
前記形状の各々を位置決めするために用いられる複数の制約を決定するステップと、
前記制約によって取り除かれる自由度の総数を決定するステップと、
定義中の形状および定義済みの形状を識別するステップと、
前記定義中の形状のうち単数による定義中である形状をＵＤＳと識別するステップと、
ＵＤＳと識別された前記形状の各々のためのＵＤＳ指標を保存するステップと、
を実行させる命令によってコード化される非一時的コンピュータ可読媒体。
【請求項１２】
前記ＣＡＤモデルを受信するステップは、形状の少なくとも一つのセットを識別するステップを含み、
他のステップの各々は、形状の前記セットにて実行される、
請求項１１に記載の非一時的コンピュータ可読媒体。
【請求項１３】
前記ＣＡＤモデルは、３次元である、
請求項１１に記載の非一時的コンピュータ可読媒体。
【請求項１４】
定義中の形状は、定義中であるが、自由度に等しい制約の数を有するとき、ＵＤＳと識別される、
請求項１１に記載の非一時的コンピュータ可読媒体。
【請求項１５】
前記ＣＡＤデータ処理システムに、単数から計算された（ＣＦＳ）指標を識別し、保存するステップを実行させる命令をさらに具え、
前記指標は、ＵＤＳまたはＣＦＳと識別されるサポートとして少なくとも１つの形状を有する任意の形状に関連している、
請求項１１に記載の非一時的コンピュータ可読媒体。
【手続補正書】
【提出日】平成26年5月20日(2014.5.20)
【手続補正１】
【補正対象書類名】特許請求の範囲
【補正対象項目名】請求項１
【補正方法】変更
【補正の内容】
【請求項１】
ステンシルであって、
少なくとも１つの５０μｍ以下の横寸法を有するステンシルにおいてパターンを規定する少なくとも１つの貫通した開口を有する光画像形成されたエラストマー組成物、ここで光画像形成されたエラストマー組成物は基板と等角的に接触するのに適している；および
該光画像形成されたエラストマー組成物の裏側に固定された安定層、ここで安定層は光画像形成されたエラストマー組成物と実質的に同じ横寸法を有し、および該安定層は５０以上のショアＤ硬度を有する；
を有する接触面；ならびに
安定層に固定されたフレキシブル多孔性基材を含み、ここでフレキシブル多孔性基材はエッチングペーストが流れるのに適した浸透性を有する、前記ステンシル。
【手続補正２】
【補正対象書類名】特許請求の範囲
【補正対象項目名】請求項４３
【補正方法】変更
【補正の内容】
【請求項４３】
ステンシルであって、
ａ．フレキシブルメッシュを含む第一の層；および
ｂ．第一の層に付加された第二の層、ここで第二の層は５００μｍ以下の少なくとも１つの横寸法を有するパターンを含む
を含み、ここでフレキシブルメッシュはエッチングペーストが流れるのに適した浸透性を有し、パターンはエッチングペーストに対し不浸透性である、前記ステンシル。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
ケーブルであって、
少なくとも１本の光ファイバを含むコアと、
前記コアを包囲したジャケットとを有し、前記ジャケットは、
第１の押出しポリマー材料の主要部分と、
前記主要部分中に結合された第２の押出しポリマー材料の少なくとも１つの不連続部とを有し、前記不連続部は、ケーブルの長さに沿って延び、前記第１の材料は、前記第２の材料とは異なっており、
前記不連続部と前記主要部分との結合部は、前記コアへの接近を可能にするよう前記ジャケットを前記不連続部のところで分離することができるようなものであり、
前記ジャケットは、前記第１の材料及び前記第２の材料を一緒に押し出すことにより前記コアの周りに施されている、ケーブル。
【請求項２】
前記第１の押出しポリマー材料は、少なくとも８０重量パーセントの第１のポリマーを含み、前記第２の押出しポリマー材料は、少なくとも７０重量パーセントの第２のポリマー及び少なくとも０．５重量パーセントの前記第１のポリマーを含む、請求項１記載のケーブル。
【請求項３】
前記第１のポリマーはポリエチレンである、請求項２記載のケーブル。
【請求項４】
前記第２のポリマーはポリプロピレンである、請求項２又は３記載のケーブル。
【請求項５】
前記不連続部は、前記ケーブルの全長に沿って延び、前記少なくとも１つの不連続部は、前記ジャケット内で互いに間隔を置いて位置した２つの不連続部を含み、各不連続部の断面積は、前記ジャケットの断面積の５パーセント未満であり、前記少なくとも１つの不連続部は、前記不連続部を通る半径に垂直に測定して２ｍｍ未満の最大幅を有する、請求項１〜４のうちいずれか１つに記載のケーブル。
【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
結像レンズであって、該結像レンズは、熱的に引き起こされる応力複屈折に対して低減された感受性を有し、画像面に対象面を結像し：
前記対象面と前記画像面との間に位置する開口絞りと；
前記開口絞りの対象面の側に位置する第1レンズ要素群と；
前記開口絞りの画像面の側に位置する第2レンズ要素群と、を有し、
前記開口絞りのすぐ近くにある、対象面と画像面との双方の側のレンズ要素群が、熱応力複屈折メトリックで特徴付けられるように、熱応力複屈折に対して無視できるほどの感受性を有するガラスを用いて作製され；及び、
前記第1レンズ要素群又は前記第2レンズ要素群内の他のレンズ要素群が、前記開口絞りのすぐ近くにあるレンズ要素群ではなく、熱応力複屈折メトリックで特徴付けられるように、熱応力複屈折に対して最大で中程度の感受性を有するガラスを用いて作製され、
前記他のレンズ要素のうちの少なくとも一は、熱応力複屈折に対して無視できるほどの感受性を有するガラスを用いて作製され、
前記熱応力複屈折メトリックは、以下によって与えられ：
【数１】
2013531807.tif 000001
ここで、ρは熱膨張係数であり、κは応力光学係数であり、αは光吸収係数であり、Ｅは弾性係数であり、Ｋは熱伝導率であり、μはポアソン比であり、かつ、
熱応力複屈折に対して無視できるほどの感受性を有するガラスが、Ｍ１≦０．１ｘ１０−６Ｗ−１の条件を満たし、かつ、熱応力複屈折に対して最大で中程度の感受性を有するガラスが、Ｍ１＜１．６０ｘ１０−６Ｗ−１の条件を満たす、
結像レンズ。
【請求項２】
レンズシステムであって、該レンズシステムは熱的に引き起こされる応力複屈折に対して低減された感受性を有し、対象面を画像面に結像し：
前記対象面と前記画像面との間に位置する開口絞りと；
複数のレンズ要素と、を含み、
前記結像レンズが前記対象面を前記画像面に結像するよう用いられるとき、少なくとも最大光学パワー密度を透過光から受けるレンズ要素が、熱応力複屈折メトリックで特徴付けられるように、熱応力複屈折に対して無視できるほどの感受性を有するガラスを用いて作製され；及び、
他のレンズ要素が、前記熱応力複屈折メトリックで特徴付けられるように、熱応力複屈折に対して最大で中程度の感受性を有するガラスを用いて作製され、
前記他のレンズ要素のうちの少なくとも一は、熱応力複屈折に対して無視できるほどの感受性を有するガラスを用いて作製され、
前記熱応力複屈折メトリックが、以下によって与えられ：
【数２】
2013531807.tif 000002
ここで、ρは熱膨張係数であり、κは応力光学係数であり、αは光吸収係数であり、Ｅは弾性係数であり、Ｋは熱伝導率であり、μはポアソン比であり、かつ、
熱応力複屈折に対して無視できるほどの感受性を有するガラスが、Ｍ１≦０．１ｘ１０−６Ｗ−１の条件を満たし、かつ、熱応力複屈折に対して最大で中程度の感受性を有するガラスが、Ｍ１＜１．６０ｘ１０−６Ｗ−１の条件を満たす、
レンズシステム。
【請求項３】
前記レンズ要素の作製に用いられるガラスが少なくとも部分的には、次式を有する強度で重み付けされた熱応力複屈折メトリックの評価に基づいて選ばれ、
【数３】
2013531807.tif 000003
ここで、I0は前記ガラス中の光強度で、Lは前記レンズ要素の厚さである、
請求項２記載のレンズシステム。